Podtech/llm-jp-corpus-v4-ja_patent huggingface dataset:
(57)【要約】【課題】従来規格品であるステンレス製ハサミと樹脂性軽量造形材製持ち手ストッパー板と切断補助プレートに同材質の円筒形支柱脚を一体化させ、片手で安全かつ容易に苺のヘタを切断除去する、簡易・便利性機能を持たせた、苺のヘタを切断除去できるハサミを提供する。【解決手段】本発明は以上のような構造である、小型のハサミ本体１の下部側へ樹脂性造形軽量材製の指の誤切断回避の安全性を考慮したストッパー板２を設けるとともに、指の誤切断回避の安全性を考慮した、苺の平均同等直径サイズ約２ｃｍ．の開口５を有した切断補助プレート４を小型のハサミ本体１の上部側へ、取り外し可能な３で固定することによって、ハサミを稼動させても安全性を確保した状態を維持しながら、苺のヘタのみを切断除去する構造を有した苺のヘタを切断除去できるハサミを特徴とする。【選択図】図１
2010000322.tif 000002
【特許請求の範囲】
【請求項１】
苺のヘタを包丁やナイフを使用することなく安全かつ容易に切断除去する事の出来る機能を有しているＳＵＳ製ハサミと樹脂性軽量造形材製部品を組み合わせた苺のヘタを除去できるハサミであって、従来既製品であるハサミを保持する要領と同様の動作で苺のヘタを切断除去の出来る、指の誤切断回避の安全性を考慮したストッパー板へ苺の平均サイズ径の開口を有した切断補助プレートを有するハサミを特徴とする苺のヘタを切断除去できるハサミ。
【発明の詳細な説明】
【技術分野】
【０００１】本発明は、苺のヘタを包丁やナイフを使用することなく指の誤切断回避の安全性を考慮したストッパー板へ苺の平均サイズ径の開口を有した切断補助プレートを有する、容易性も考慮した、苺のヘタの切断除去を補助する為の（苺のヘタを切断除去するハサミ）に関する。
【背景技術】
【０００２】従来品の苺のヘタを切断する道具あるいは装置は、ナイフ、包丁、または切断刃の取り付いた箱体等を利用したものがある（例えば特許文献１，特許文献２，特許文献５参照）。
【特許文献１】実用新案公開平７−２４０９４
【特許文献２】実用新案公開平６−５０４９４
【特許文献３】特許公開２００３−２５１２８２
【特許文献４】特許公開２００３−１７４９７２
【特許文献５】特許公開平６−２７７０２５
【発明の開示】
【発明が解決しようとする課題】
【０００３】しかしながら従来品の、苺のヘタを切断除去するための道具あるいは装置は、家庭で扱うには持ち運びや保管が不便な業務用、子供が容易に扱うには難しい技術を要するなど、操作・取扱い及び保管が容易でない欠点があり、安全性・便利性や携帯性などの点で不利がある。
【課題を解決するための手段】
【０００４】本発明は、苺のヘタの切断除去における安全性・便利性・携帯性の機能を有している樹脂性軽量造形材製を柄に、ステンレス製の刃を組み合わせたことによる苺のヘタを切断除去できるハサミであって、従来既製品であるハサミを保持する要領と同様の動作で手軽に操作の出来る、指の誤切断回避の安全性を考慮したストッパー板へ苺の平均サイズ径の開口を有した切断補助プレートを有するハサミを特徴とする苺のヘタを切断除去できるハサミを提供することで上記課題を解決する。
【発明の効果】
【０００５】本発明は、苺のヘタを切断除去したい時には苺の平均サイズ径の開口を有した切断補助プレートへ苺を通過した後、ストッパー板へ苺のヘタ側から接触させ、従来既製品であるハサミを保持する要領と同様の動作で苺のヘタを切断除することの出きる、安全性・操作便利性および携帯性に優れた快適さを確保するのに極めて有効である。
【発明を実施するための最良の形態】
【０００６】本発明のハサミは、図１、図２、図３に示すように、小型のハサミ本体１の下部側へ樹脂性造形軽量材製の指の誤切断回避の安全性を考慮したストッパー板２を設け、指の誤切断回避の安全性を考慮した、苺の平均同等直径サイズ約２ｃｍ．の開口５を有した切断補助プレート４をハサミ本体１の上部側へ、取り外し可能な３で固定することによって、ハサミを稼動させても安全性を確保した状態を維持しながら、苺のヘタを安全かつ容易に切断除去する構造を有する。
本発明は以上のような構造である。
【実施例】
【０００７】図１、図２、図３に示す樹脂性軽量造形材製の苺の平均同等直径サイズ約２ｃｍ．の開口５を有した切断補助プレート４の開口部５は例えば、苺の異種・異径別によって径サイズが異なることにも対応する為に、異なった開口径を有するプレート６へ交換使用可能とさせることで、苺のヘタを切断除去する際での好適な組み合わせとして標準化する。このことにより設計、施工が容易になる。また１の刃部には従来規格品であるステンレス材と、１の持ち手部には樹脂製を用いるのが最適である。１の持ち手および２のストッパー板および４の取替え可能な苺の平均径開口付き指等誤切断回避兼用プレートには耐蝕性のある弾性部材やステンレス製部材は安価製作が難しいと思われるためである。【０００８】以上、本発明の実施の形態及び実施例を説明したが、本発明の範囲はこれに限定されるものではない。例えば、ハサミ本体と苺の平均同等直径サイズ約２ｃｍ．の開口５を有した切断補助プレート４との設置位置、ハサミ本体とストッパー板との隙間位置関係、あるいは苺と同等サイズの他の食べ物や物品を切断補助プレート４の開口部５を使用しての切断や切断除去を施すことは、状況に応じて適宜選択されるものである。【０００９】また、苺のヘタを切断除去できるハサミは飲食時の仕様という一面に限らず、一般常識的なハサミの利用時で切断可能な物品の切断に利用しても良い。例えばハサミ本体１のみでの単独使用も可能である。【００１０】さらに、発明を実施するための最良の形態と実施例では、樹脂製軽量造形材製持ち手やストッパー板，切断補助プレートの部品を取外したり組み合わせたりすることによる、苺のヘタを切断除去できるハサミについて説明しているが、材質は樹脂性軽量造形材に限られたものではなく、その他例えば、金属材、合成樹脂材、木材、弾性部材、セラミック材等、ハサミ本体１とストッパー板２と切断補助プレート４の一体型構造体として適当な任意の材料のものが利用でき、形状、大きさも任意に選定する事が出来る。また、用途も台所用品としての利用を目的とするものに限られず、主として簡易で便利性のある切断道具として広く用いる事が可能である。
【産業上の利用可能性】
【００１１】本発明は、ハサミと、ストッパー板および苺の平均サイズ径の開口を有した切断補助プレートを製造する産業で利用される。
【図面の簡単な説明】
【００１２】
【図１】本発明を実施するための最良の第一の形態の外観斜視図である。
【図２】本発明を実施するための最良の第一の形態の平面図である。
【図３】本発明を実施するための最良の第一の形態の立面図である。
【図４】本発明を実施するための最良の第二の形態の平面図である。
【符号の説明】
（１）    ハサミ本体
（２）    ストッパー板
（３）    取り外し可能な軸ネジ
（４）    取替え可能な苺の平均径開口付き指等誤切断回避兼用プレート
（５）    苺の平均径開口部
（６）    異寸法苺径用開口部
（７）    取替え可能な異寸法苺径開口付き指等誤切断回避兼用プレート
【図１】
2010000322.tif 000003
【図２】
2010000322.tif 000004
【図３】
2010000322.tif 000005
【図４】
2010000322.tif 000006
(57)【要約】【課題】在宅介護で寝たきりの病人の介護は全てベッド上で行われ毎日のケアで行う排泄の処置は被介護者を持ち上げたり横向きにしたりするので介護者の大きな介護負担となっている【解決手段】１マットレス本体に２切抜き部と３開孔部を設ける被介護者が便尿意を教えたら２切抜き部を外して４差込便器の装着が容易に出来る用足し後も４差込便器の取り外しや排泄物の処理が簡単に出来る又３開孔部に２切抜き部をはめ込むと定常のマットレスとして違和感なく使用できる【選択図】図１
2010000329.tif 000002
【特許請求の範囲】
【請求項１】
差込便器を設置できる開孔部を設けたことを特徴とするマットレス
【請求項２】
尻乗せ部を無くしたことを特徴とする差込便器
【発明の詳細な説明】
【技術分野】
【０００１】この発明は在宅介護者の排泄ケアの負担軽減を図った介護用マットレスに関する
【背景技術】
【０００２】従来寝たきり患者や重病人の排泄の処置には紙オムツや差込便器が使われている【０００３】以下紙オムツの使用は濡れ汚れて不快不衛生であり差込便器は違和感や痛みで長時間使用出来ず又差込便器を装着する時は両膝を持ち上げたり身体を横向きにする
【発明の開示】
【発明が解決しようとする課題】
【０００４】以上述べた従来の排泄処置方法では被介護者も不快であり介護者も介護負担が大きい【０００５】本発明は在宅介護者の排泄ケアの負担軽減を実現することを目的とするものである
【問題を解決するための手段】
【０００６】本発明は上記目的を達成するためにマットレスに差込便器を設置可能な開孔部を設ける差込便器の尻乗せ部を無くす
【発明の効果】
【０００７】本発明の介護用マットレスは被介護者の身体を横向きにしたり両膝を持ち上げたりせず容易に差し込み便器の着脱が出来るので在宅介護者の排泄ケアの負担軽減の効果大きい
【０００８】排泄物によって身体が濡れたり汚れたりしないので不快感や不潔感がない
オムツ使用枚数の減少により経済的負担の軽減ゴミ減少の効果がある
発明品の構造がシンプルであり片手で持ち運べ清掃手入れが簡単安価な差込便器が使用できる
【発明を実施するための最良の形態】
【０００９】以下本発明の実施の形態を図１から図４に基づいて説明する【００１０】図において１はマットレス２はマットレス切抜き部３はマットレス開孔部４は差込み便器【００１１】以下上記構成の動作を説明する被介護者が便尿意を教えたら２マットレス切抜き部を外し３マットレス開孔部えお尻の位置を確認して４差込み便器を装着する被介護者を横向きにしたり腰を上げずに差込み便器の着脱が簡単にできる【００１２】用足し後４差込便器の取り外し排泄物の処理清掃管理が容易である
【図面の簡単な説明】
【００１３】
【図１】本発明の実施形態を示す介護用マットレスの斜視図
【図２】マットレスと切り抜き部の平面図
【図３】差込便器装着時の平面図
【図４】介護用マットレスのＡ−Ａ線断面図
【符号の説明】
【００１４】１マットレス本体  ２マットレス切抜き部  ３マットレス開孔部  ４差込便器
【図１】
2010000329.tif 000003
【図２】
2010000329.tif 000004
【図３】
2010000329.tif 000005
【図４】
2010000329.tif 000006
(57)【要約】      （修正有）【課題】ベスト後身頃に背負い袋を取り付けることにより、荷物を身体全体で持つことができ、なおかつ身体に無理なく安全に運ぶことができるベストを提供する。【解決手段】本袋付きベスト１は、紐が肩にくいこんだり、肩から落ちないようにするために設られていた付属品を無くして背負い袋３そのものを軽くすると共に、更なる負担を軽減するため、ベストの後身頃２に背負い袋３を取り付けた。【選択図】図１
2010000323.tif 000002
【特許請求の範囲】
【請求項１】
ベスト本体の後身頃に袋を設けたことを特徴とする袋付きベスト。
【発明の詳細な説明】
【技術分野】
【０００１】  本発明は、ベスト後身頃に背負い袋を取り付けることにより、荷物を身体全体で持つことができ、なおかつ身体に無理なく安全に運ぶことができるベストに関するものである。
【背景技術】
【０００２】  従来のものは、紐が細く肩にくいこんだり、肩から紐が落ちないようにするためにいろいろな付属品がついて背負い袋が重くなるばかりでなく、背負い袋を背負うだけで身体に負担がかかるという問題がある。
【発明の開示】
【発明が解決しようとする課題】
【０００３】  紐が肩にくいこんだり、肩から紐が落ちないようにするためにいろいろな付属品が付いて背負い袋が重くなるばかりでなく、背負い袋を背負うだけで身体に負担がかかるという問題がある。
【課題が解決するための手段】
【０００４】  上記の課題を解決するために、本考案が提供する袋付きベストは、ベストの後身頃に背負い袋を取り付けるものである。
【発明の効果】
【０００５】  本発明の袋付きベストによれは、紐が肩にくいこむことがなく、肩から紐が落ちないようにするための付属品を無くすことによって背負い袋が重くなることを防ぎ、身体にかかる負担を軽減することができる。
【発明を実施するための最良の形態】
【０００６】    以下、本発明の実施の携帯を説明する。
図１は、実施例の袋付きベストを示す。このベストは、同図に示すように、ベスト本体１の後身頃２に袋３を一体に取り付けたものである。４はベスト本体１の肩から腰にかけて設けた左右一対の当て布である。袋３はこの当て布４に縫い付けられている。当て布４は袋３をベスト本体１に保持するためのものである。
【図面の簡単な説明】
【図１】  実施例の袋付きベストの斜視図
【符号の説明】
１  ベスト本体
２  後身頃
３  袋
４  当て布
【図１】
2010000323.tif 000003
(57)【要約】【課題】  外出時に、ズボン又はスカートのファスナーを閉め忘れてしまい、恥ずかしい思いを、経験した人は多いはずである。  原因としては、ズボン又はスカートを穿くときに、ボタン及びフック等で、ウエストを留めてから、ファスナーを閉めたり、ベルトをしたり、という複数の動作にあると思われる、そのために、慌てている時などは、ズボン又はスカートが脱げ落ちないように気を使い、うっかりして、ファスナーを閉め忘れるのである。【解決手段】  ズボン又はスカートを穿くときに、ファスナーを閉めればウエストが係止されて、脱げ落ちる心配がなく、必然的に気持ちが集中出来るスライドファスナーを提供する。【選択図】図１
2010000331.tif 000002
【特許請求の範囲】
【請求項１】
係合・分離が出来る、マグネットホック部とスライダー内に入り込む、くさび状の左側部と右側部を有する、スライドファスナーの上止。
【請求項２】
スライドファスナーのスライダーが最上部の位置にあるとき、上止のくさび状の左側部と右側部の外側の側面が、スライダーのテープガイドの内側の面に沿って密着し、上止のくさび状の左側部と右側部の内側の側面は、スライダーの案内柱の最大幅部分に沿って密着することで、スライダーを最上部に引き上げると、マグネットホック部を強制的に重合し、スライダーが最上部にあるときは、係合した上止は外れない構造である、ことを特徴とする請求項１記載のスライドファスナーの上止。
【請求項３】
ファスナーテープに設けたエレメントの、上止に最も近い左右一対のエレメントを、小さく適切に変形して、スライドファスナーのスライダーが最上部の位置にあるとき、スライダーの案内柱の下方に２ｍｍ前後の適切な案内柱の遊びを有することで、係合している上止に関係なく、スライダーが自由に動く構造である、ことを特徴とする請求項１記載のスライドファスナーの上止。
【発明の詳細な説明】
【技術分野】
【０００１】  本発明は、スライダーの抜け止め及びスライドファスナーの上止、に関するものである。
【背景技術】
【０００２】  従来から、ズボン又はスカートのファスナーの閉め忘れを解決するために、いろいろ考案されている。（実用、特許文献１〜４参照）【０００３】
【実用、特許文献】
１実開平４−９１１１
２特開平９−２８４２２
３実願平１１−１１５９
４特開２００４−１５４１６８
【発明の開示】
【発明が解決使用とする課題】
【０００４】  しかしながら、これらはズボン及びスカートに取り付けると違和感がある、と思われるもの、既存の製品に後から重ねて施すもの、又、ズボン及びスカート製品の製造上難しく、手間ひまがかかるもの、など多くのの問題点がある。
【０００５】  本発明は、このような問題点を解決しようとするもので、従来のファスナー同様に取り付けて、違和感も無く、ズボン及びスカート製品の製造時に、製造工程を簡素化できるスライドファスナーを提供する、ことを目的としたものである。
【０００６】  本発明は、係合・分離が出来る、マグネットホック部とスライダー内に入り込む、くさび状の左側部と右側部を有し、スライダーが最上部の位置にある時、スライダーの案内柱の下方に適切な遊びを有する構造の上止を持つスライドファスナーを提供する、ことにより、上記課題を解決したものである。
【発明の効果】
【０００７】  本発明により、ボタン又はフックなどで係止していた、ズボン及びスカートのウエストは、ファスナーを閉めるだけで、ウエストの位置を係止出来るのであるから、ズボン又はスカートを穿くときに、ファスナーを閉めることだけを考えればよく、うっかりして、ファスナーを閉め忘れる様な事が、無くなるのである。
さらに、ズボン及びスカートのボタン、フック等は、必要なくなるのであるから、製品の製造上の工程を簡素化できるものである。
【実施例】
【０００８】  本発明のスライドファスナーは、従来のスライドファスナーと同様に合成樹脂等のインジェクション用の型で、上止の形状を本発明の形状に変えて、磁性体を埋め込んだものを創ればよいのであるから、量産も可能である。
【産業上の利用可能性】
【０００９】  本発明は、従来のズボン及びスカート等のファスナーに代わる、ズボン及びスカート専用の新しいスライドファスナーである。
【図面の簡単な説明】
【図１】  本発明を平面から見た正面図
【図２】  本発明のスライダーなしの斜視図
【符号の説明】
１左右で一対のファスナーテープ
２噛み合った左右の務歯
３スライダー本体
４本発明の上止右側
５本発明の上止左側
６右側で上下に吸着している磁石
７左側で上下に吸着している磁石
８スライダーの案内柱
９スライダーが最上部の位置にある時、スライダーの案内柱の下方に出来る本発明の適切な遊び
１０適切に変形させた本発明の右側の務歯
１１適切に変形させた本発明の左側の務歯
１２本発明の上止左側のクサビ状の部分
１３本発明の上止右側のクサビ状の部分
【図１】
2010000331.tif 000003
【図２】
2010000331.tif 000004
(57)【要約】【課題】  従来の全身鏡は、大型で重量がある平面鏡のため移動や携行が困難で、屋外や全身鏡の無い部屋では全身を映す事ができなく、また多数の人が同時に見る事もできなかった。【解決手段】  凸面鏡により小型軽量を図り、平面の顔面鏡とも連結して携行に便利なものとした。芸能界の利用では、ドラマなどのロケ現場で大勢の出演者が同時に全身を見る事ができるようにした。また、多様化を図って顔面鏡及び全身鏡を化粧用具と組み合わせて、全身の整飾もできるようにし、世界中の女性がハンドバッグに入れて持ち歩くようにした。【選択図】図６
2010000334.tif 000002
【特許請求の範囲】
【請求項１】
平面鏡と凸面鏡からなる、携帯用顔面鏡連結全身鏡。
【請求項２】
請求項１と組み合わせた、基礎化粧品セット。
【発明の詳細な説明】
【技術分野】
【０００１】  小型軽量で、どこでも持参して顔面や全身を映せる携帯鏡及びこれの応用品。
【背景技術】
【０００２】  従来の全身鏡（姿見）は人の身長以上あって、大きくて重たい平面鏡でできており、これを小型化してハンドバッグ等に入れて持ち歩く事は出来なかった。
【発明の開示】
【発明が解決しようとする課題】
【０００３】  大型で重量がある平面全身鏡は特定の場所にしか設置されていないので、これの無い部屋や屋外では全身をチェックすることが困難であった。
【課題を解決するための手段】
【０００４】  凸面鏡の利用により小型軽量で全身が映るようにし、複数の人も同時に見る事ができるようにした。鏡のみの利用のものは、平面顔面鏡と連結して、スタンドを上下逆にすることにより簡単に顔面も映すことができる。【０００５】  また、多様化を図って顔面鏡及び全身鏡を化粧用具と組み合わせて顔面の化粧の後、全身の整飾もできるようにした。
【発明の効果】
【０００６】  ハンドバッグやポケットに入れてどこでも携行できるので、いつでも全身の身だしなみを整えることができ、また、同時に多数の人も見ることができる。
【発明を実施するための最良の形態】
【０００７】  請求項１の「携帯用顔面鏡連結全身鏡」は、コンパクトケース大にし、ポケットに入れて、携行に便利なものとした。
「図１」は使用図で、凸面全身鏡「１」を凸面全身鏡ケース兼台座「２」に収納し、平面顔面鏡「３」を平面顔面鏡ケース兼台座「４」に収納して、双方をスタンド兼２連蝶番「５」で連結し、掛止具「６」にて掛止したものである。
「図２」は携帯図で、凸面全身鏡として使用する場合には、掛止具を外して蓋を開け凸面全身鏡を約２９０度回転させてスタンド兼２連蝶番を立て、平面顔面鏡ケース兼台座を下にして机上などの端側に置き（中ほどに置くと天板が映ってしまう）、身長や机上に合わせて角度を調節して全身を映す。平面顔面鏡として使用する場合は、上下を逆にして角度を調節する。
「図３」は閉じた状態、「図４」は開いた状態の構造図である。【０００８】  請求項２の「基礎化粧品セット」は、ファンデーションセット大にし、ハンドバッグに入れて、洋装や和装の女性が携行できるようにした。
「図５」は顔面化粧時に使用のもので、従来の基礎化粧品セットと同じように、磁石「１４」と鉄片「１５」で押さえられているケース「１１」を把手「１６」で開けると左側にはパウダー「９」が、右側にはスポンジパフ「１０」がセットされているが、蓋「１２」の左側には全身鏡「７」が、右側には顔面鏡「８」が並べて設置しており、通常の顔面化粧の場合には顔面鏡「８」を見ながら行う。
「図６」は顔面化粧後に全身鏡「７」にて全身をチエックするために使用するもので、蓋の部分を手前に引きアーム「１３」を立てて、机の端等に置いて使用する。アームを立てなかったり、机の中程に置くとパウダーや机が映り込んでしまうからである。全身のチエック後に、さらに顔面の「仕上げ」をしたい場合には、蓋とケースの間に隙間があるのでそこから手を入れてパフを使うことができる。また、一緒にいる人も同時に見ることもできる。
「図７」は閉じた状態、「図８」は開いた状態の構造図である。
なお、口紅や頬紅やアイメーク等の容器にも組み合わせて利用できる
【実施例】
【０００９】  請求項２の「基礎化粧品セット」については、世界中の女性は皆ハンドバッグを持っている。ハンドバッグの中には必ずファンデーションセットが入っている。しかし、これには顔面鏡しか付いていない。化粧とは全身をそつなく美しく装うことで、顔だけのことではない。この全身鏡は世界中の女性のハンドバッグの中身を替えるものである。
例えばブライダルなどのパーティーで着飾った時や、イベントの扮装などでは、入場前に全身を念入りにチエツクしなければならない。しかし、控室には大型の全身鏡が無い所もある。
この全身鏡付きファンデーションセットは各自が携行し、どのような場所であっても他人に見てもらう必要がなく、開会直前に自分で全身の服装をチェックできる。また、その時々の服装に合わせて、洋風・和風のものを用意できる。
【産業上の利用可能性】
【００１０】  請求項１の「携帯用顔面鏡連結全身鏡」については、芸能界全般の利用として、映画やテレビのドラマやコマーシャルは屋外で撮影するロケーションが多く、大勢の出演者は撮影前に全身を厳しくチェックしなければならない。しかし、従来の全身鏡を数台持ち込でも多数の人が一度に見る事は不可能である。
この全身鏡は１人１個づつ携行でき、ロケ現場では演技者や多数のエキストラが悪天候であっても本番直前に各自が同時に全身をチェックできる。
また、ロケの終了後、エキストラなどに出演記念として製作題名と社名を入れたものを贈呈することもできる。この鏡は高価なものから安価なものまで、ガラス・金属・プラスチックで作成できる。
これを、最初に販売する場所は各テレビ局のお土産売り場がよい。大勢の見学者が訪れ口コミで広がるからである。
【図面の簡単な説明】
【００１１】
【図１】  携帯用顔面鏡連結全身鏡の、使用時における斜視図
【図２】  同、携帯時における斜視図
【図３】  同、携帯時における側面図
【図４】  同、展開図
【図５】  基礎化粧品セットの、顔面鏡使用における斜視図
【図６】  同、全身鏡使用における斜視図
【図７】  同、折りたたみ状態における斜視図
【図８】  同、構造における斜視図
【符号の説明】
【００１２】  １  凸面全身鏡
２  凸面全身鏡ケース兼台座
３  平面顔面鏡
４  平面顔面鏡ケース兼台座
５  スタンド兼２連蝶番
６  掛止具
７  全身鏡
８  顔面鏡
９  パウダー
１０  スポンジパフ
１１  ケース
１２  蓋
１３  アーム
１４  磁石
１５  鉄片
１６  把手
【図１】
2010000334.tif 000003
【図２】
2010000334.tif 000004
【図３】
2010000334.tif 000005
【図４】
2010000334.tif 000006
【図５】
2010000334.tif 000007
【図６】
2010000334.tif 000008
【図７】
2010000334.tif 000009
【図８】
2010000334.tif 000010
(57)【要約】【課題】  太陽電池の受光面電極に当って損失する直射光線を鏡面反射で発電素子に集光するように受光面電極の断面を三角形にした太陽電池においては、実用的な受光面電極の断面形状が頂角３０度以下の鋭角三角形となるため、従来的な印刷技法では成型が極めて困難である不都合があった。如何にして三角形の受光面電極を形成するかが課題である。【解決手段】  印刷など従来的な技法で断面が矩形や台形の受光面電極を形成した後、型押しや切削で整形して２段階で三角形を形成する方法と、断面が三角形の導電線を導電性接合材で発電素子面に貼り付ける方法で前記課題を解決するものである。【選択図】図１
2010219173.tif 000002
【特許請求の範囲】
【請求項１】
太陽電池の受光面電極の断面を発電素子に接する面が底辺となる三角形に形成し、受光面電極の前後斜面に入射する最大高度から最小高度の範囲の光線を鏡面反射で発電素子面に集光させるように構成した太陽電池の電極形成方法として、印刷などで形成した断面が矩形まは台形の受光面電極を、型押しや切削などの方法で三角形に整形して形成することを特徴とした太陽電池電極の形成方法。
【請求項２】
太陽電池の受光面電極の断面を発電素子に接する面が底辺となる三角形に形成し、受光面電極の前後斜面に入射する最大高度から最小高度の範囲の光線を鏡面反射で発電素子面に集光させるように構成した太陽電池の電極形成方法として、断面が三角形の導電線を導電性接合材で発電素子面に貼り付けて形成することを特徴とした太陽電池電極の形成方法。
【発明の詳細な説明】
【技術分野】
【０００１】
本発明は、太陽電池の受光面電極の製造方法に関するもである。
【背景技術】
【０００２】
太陽電池の受光面電極に遮られて損失する直射光線を有効に利用して性能を改善する方法として、受光面電極の断面を三角形にして斜面の鏡面反射で発電素子に集光する方法が提案されている。
【特許文献１】特願２００９−０４３２７４  太陽電池とモジュール及び太陽光発電装置
【発明の開示】
【発明が解決しようとする課題】
【０００３】
前記特許文献１の方法は、太陽電池の受光面電極の断面を発電素子に接する面が底辺となる三角形に形成し、この受光面電極の前後斜面に入射する最大高度から最小高度の範囲の光線を鏡面反射で発電素子面に集光させるように構成したものである。太陽電池セルは全体が屈折率１，５前後の透明充填材で固定されることになるが、その場合の受光面電極の形状は頂角が３０度から１５度程度で底辺幅が０，１ｍｍから１ｍｍ程度の範囲の形状になると考えられる。また、実用されている従来的な太陽電池の受光面電極はペースト状の銀など導電性の塗料やインクで印刷する方法が用いられているが、通常の印刷技法では受光面電極の断面形状を頂角が鋭角となるような三角形に印刷することは極めて困難であった。このため如何にして鋭角三角形の受光面電極を形成するかが課題である。
【課題を解決するための手段】
【０００４】
スクリーン印刷や転写印刷など通常の印刷技法で印刷した断面が矩形または台形の受光面電極を型押しや切削加工で三角形に整形する方法や、断面が三角形の導電線を銀ペーストなど導電性接合材で発電素子面に貼り付ける方法で前記課題を解決するものである。
【発明の効果】
【０００５】
発電素子の表面に導電性の塗料やインクなどで断面が三角形の受光面電極を直接印刷することは極めて困難であるが、本発明の方法によって２段階で形成したり、三角形の導電線を貼り付けることで容易に実現できるから太陽電池の性能改善に役立つものである。
【発明を実施するための最良の形態】
【０００６】
図１は本発明による受光面電極を用いた太陽電池セル１の断面を示すもので、２は発電素子、３は発電素子に電気的に接合されて等間隔に配置された細長い多数の受光面電極、４は裏面電極である。また、受光面電極の断面は発電素子に接する面を底辺とする三角形で前斜面５と後斜面６からなり、前斜面は傾斜角度α１で、後斜面は傾斜角度α２で傾斜した反射面を形成している。太陽電池モジュールとして組み上げられる状態では全体が透明基板（図示せず）との間に透明な充填材（図示せず）で保持された状態となる。また、７は全ての受光面電極を電気的に連結するために受光面電極に直角に配置された集電極で、受光面電極と集電極は櫛型に一体で形成されている。
【０００７】
太陽電池を水平に設置したり南向きに傾けて設置するなどの設置条件や設置場所の緯度、採光条件の違いなどによって受光面電極の前斜面と後斜面の傾斜角度α１、α２は異なるが、受光面電極を取り巻く透明充填材の屈折率が１、５前後の場合、α１とα２を合計した頂角は３０度以下の範囲になると考えられる。
【０００８】
図２は発電素子に設けられる受光面電極の形成順序を説明するもので、スクリーン印刷や転写印刷など通常の印刷技法で厚肉に印刷された断面が矩形または台形の受光面電極８ａまたは８ｂを、受光面電極３の三角形に合わせたダイスで削り落としたり、型押しで三角形の受光面電極３に２段階で整形する状況を示すものである。平行に並んだ多数の電極を一括して整形することができるが、その後に全体を焼成して一体の電極とするものである。図４は型押しで整形する場合の押型１１の断面を示すもので余剰の電極材は吸引孔１２から吸引されて除去されることになる。
【０００９】
また、図３は断面が三角形の導電線９を発電素子面に銀ペーストなどの導電性接合材１０で貼り付けて一体に焼成して受光面電極を形成する方法を示している。各受光面電極を結ぶための集電極は印刷などにより形成してもよいが、受光面電極に相似の導電線を受光面電極の端面に櫛型に突き合わせて配置し、その接合部を導電性接合材で一体に連結することで全ての受光面電極と集電極をつなぎ、その後に全体を焼成して太陽電池セルを形成する。
【００１０】
受光面電極や集電極に用いる三角形の導電線には銀や銅などの単体線のほか、これらの素材に導電性能や光線反射率が高くて物性が安定している材料を鍍金した三角形の電線を使用することで性能の改善やコストダウンを図ることができる。また、発電素子に接する三角形電線の底角に丸みをもたせることで導電性接合材との接合を安定させることができる。
【００１１】
以上のごとく本発明による太陽電池電極の形成方法は、印刷などの従来的方法で形成した断面が矩形または台形の受光面電極を削り落としたり、型押しして三角形に整形する形成方法や、三角形の電線を電極面に導電性接合材で接合する形成方法であるから、既存の製造方法に準じて工程を追加するだけで受光面電極を形成することができ実用性が高いものである。
【図面の簡単な説明】
【００１２】
【図１】太陽電池セルの斜視図である。
【図２】受光面電極の形成順序の説明図である。
【図３】受光面電極を形成する別の方法の説明図である。
【図４】型押しで整形する方法の説明図である。
【符号の説明】
【００１３】
１、太陽電池
２、発電素子
３、受光面電極
４、裏面電極
５、前斜面
６、後斜面
７、集電極
８、矩形または台形の受光面電極
９、導電線
１０、導電性接合材
１１、押型
１２、吸引孔
【図１】
2010219173.tif 000003
【図２】
2010219173.tif 000004
【図３】
2010219173.tif 000005
【図４】
2010219173.tif 000006
(57)【要約】      （修正有）【課題】炭酸ガスを発生しない、エコロジーに特化した、一切の動力及び燃料を使用しない発電装置を提供する。【解決手段】廃タイヤ又は建築廃材などを乾溜して炭素化したカーボンと、水道水又は淡水などをアルカリ性に加工した水とを攪拌し、超臨界装置により高圧電流をかけてカーボン水を作成し、これを不織布又はスポンジに沁み込ませる、又はこのカーボン水をゲル状にして、正極と負極の間に配置することにより電気エネルギーを抽出する発電装置。【選択図】図２
2010219017.tif 000002
【特許請求の範囲】
本発明は、カーボン全般と特殊な水を攪拌することにより、電気エネルギーを抽出する発電装置。
カーボンとは、廃タイヤ又は建築廃材等を乾溜し、炭素化したもの。
水とは、一般水道水又は淡水等をアルカリ性に加工したもの。
【発明の詳細な説明】
【技術分野】本発明は、カーボンを主たる原材料とし、製作する発電装置で、従来のバッテリー等のように充電する必要がなく、リサイクル等の炭素物質で電気エネルギーを抽出出来るクリーン・パワー・ジェネレーターである。
【発明の概要】
カーボンに加工した水を加えることにより電気エネルギーが発生する。
【０００１】このカーボンとは、廃タイヤ又は建築廃材及びその他付随するものを乾溜し、炭素化したもの。
【０００２】この水とは、一般水道水又は淡水及びその他付随するものをアルカリ性に加工したもの。
【０００３】水３、カーボン２の割合で攪拌し、カーボン水を作成し、これを不織布又はスポンジに沁み込ませる、又はこのカーボン水をゲル状にして、電気エネルギーを抽出する。
【０００４】＋極  銅、−極  アルミニウムの間に上記不織布又はスポンジ、もしくはゲル状のカーボン水を加えることにより電気エネルギーを抽出できた。
【発明の効果】
【０００５】一切の動力及び燃料を使用しない発電装置のため、エコロジーに特化し、問題となっている炭酸ガスを発生しない。
2010219017.tif 000003
2010219017.tif 000004
【手続補正書】
【提出日】平成21年5月15日(2009.5.15)
【手続補正１】
【補正対象書類名】特許請求の範囲
【補正対象項目名】全文
【補正方法】変更
【補正の内容】
【特許請求の範囲】
【請求項１】
カーボンを主たる原料とする発電装置
【手続補正２】
【補正対象書類名】明細書
【補正対象項目名】全文
【補正方法】変更
【補正の内容】
【発明の詳細な説明】
【技術分野】本発明は、カーボンを主たる原料として製作する発電装置で、従来のバッテリー等のように充電する必要がなく、リサイクル等の炭素物質で電気エネルギーを抽出出来るクリーン・パワー・ジェネレーターである。
【発明の概要】
カーボンに加工した水を加えることにより電気エネルギーが発生する。
【０００１】カーボンとは、廃タイヤ又は建築廃材及びその他付随するものを乾溜し、炭素化したもの
【０００２】水とは、一般水道水又は淡水及びその他付随するものをアルカリ性に加工したもの
【０００３】水３、カーボン２の割合で攪拌し、これを超臨界装置にかけ、高圧電流を同じにかけたものがカーボン水となる
【０００４】このカーボン水を不織布もしくはスポンジに沁み込ませる、又はこのカーボン水をゲル状にして、電気エネルギーを抽出する
【０００５】＋極  銅、−極  アルミニウムの間に上記不織布もしくはスポンジ、又はゲル状のカーボン水を加えることにより電気エネルギーを抽出する
【発明の効果】
【０００６】一切の動力、燃料及び有害化学物質を使用しない発電装置のため、エコロジーに特化し、現在問題となっている炭酸ガスを発生しない
【図面の簡単な説明】
【図１】概略図面（完成図）  発電装置の基本構造  平面図・立面図・側面図
【図２】部品図面―本体  平面図・立面図・側面図  各槽にカーボン水を沁み込ませた不織布・スポンジ又はゲル状のカーボン水を注入する
【図３】部品図面―天板  平面図・立面図・側面図  電気を取り出す導電材接続口
【図４】部品図面―フタ  平面図・立面図・側面図  各槽の導電材接続口
【手続補正３】
【補正対象書類名】図面
【補正対象項目名】全図
【補正方法】変更
【補正の内容】
【図１】
2010219017.tif 000005
【図２】
2010219017.tif 000006
【図３】
2010219017.tif 000007
【図４】
2010219017.tif 000008
(57)【要約】【課題】視差を持った２台で１対の動画カメラで時間的に同期して撮像し、その映像信号（ＮＴＳＣ規格）をリアルタイムで合成することで、汎用ビデオモニタ等によってリアルタイムで裸眼立体視（平行法、交差法）を可能とする。【解決手段】視差を持った、２台で１対のレンズ付の動画カメラ４で、５によって作った信号で同期して撮像し、その映像を６で作られたタイミング信号によって、各々のカメラの映像のそれぞれ半分ずつを７で合成し、撮影した映像をリアルタイムでＮＴＳＣビデオ信号を出力する。そして、５によって作った同期信号によって撮像するため２台のカメラの時間差と色違いは発生しない。また、二つのカメラの視線を合わせるためにカメラを回転する事によって映像の位置調整ができる。【選択図】図２
2010219911.tif 000002
【特許請求の範囲】
【請求項１】
視差を持った２台で１対のカメラのビデオ信号からそれぞれ半分ずつを合成し、裸眼立体視できる一つの映像を作る動画ステレオカメラ。
【請求項２】
視差を持った２台で１対のＮＴＳＣビデオ信号から時分割（スーパーインポーズ）により合成し、リアルタイムなＮＴＳＣビデオ信号を作る動画ステレオカメラ。
【請求項３】
２台の動画カメラからの制御信号によって、カメラ駆動信号を作り、２台の動画カメラを同期撮像して色の違いの無い動画ステレオカメラ。
【請求項４】
２台で１対の動画カメラを一つのハウジングに収納し、対の映像の視線を合わせるためにカメラの回転機構を持つ動画ステレオカメラ。
【発明の詳細な説明】
【技術分野】
【０００１】
本発明は、視差を持った２台で１対のカメラで撮影した映像を裸眼で立体視する為にリアルタイムで映像を合成しビデオ信号出力するものである。
【背景技術】
【０００２】
視差を持った左右１対の２枚の静止画による裸眼立体視（平行法、交差法）出来るステレオカメラとして供されている。
【０００３】
立体視するための映像を作るためには、視差を持った２台のビデオカメラによって撮影、記録した映像を２次的に加工、合成する方法がある。
【０００４】
しかし、この方法だと立体視できる映像を作るための大掛かりな撮影機材と映像を作るためのシステムと労力と時間が掛かる。
【先行技術文献】
【非特許文献】
【０００５】
非特許文献
【発明の概要】
【発明が解決しようとする課題】
【０００６】
立体視するための映像を、フィールドで簡単に撮影するための立体撮影機材の小型化と２次的に加工、合成しなくても得られる。
【課題を解決するための手段】
【０００７】
２台で１対の超小型のカラーカメラを一つのハウジングに納めて小型化し、カメラ視線を簡単に調整するためにカメラを回転する機構とリアルタイムで立体視映像を合成できるように、外部制御によって２台のカメラを同期して撮影し、ＮＴＳＣ規格のビデオ信号出力とする。
【発明の効果】
【０００８】
撮影と立体視できる画像合成が一体の小型のカメラになるため様々なフィールドで使用できる。
【０００９】
リアルタイムで映像を撮影、合成するため汎用テレビ等の映像表示装置でそのまま立体視できる。
【００１０】
ＮＴＳＣ規格のビデオ信号のため、汎用ビデオレコーダーで録画保存できる。
【図面の簡単な説明】
【００１１】
【図１】図１はステレオカメラの機械的実施方法を示した外観図である。
【図２】図２はステレオカメラの電気的実施方法を示した回路ブロック図である。
【図３】図３はステレオカメラの２台のカメラの映像から立体視するための映像を作るイメージ図である。
【発明を実施するための形態】
【００１２】
視差を持った２台で１対の小型動画カメラと、リアルタイムで画像合成し、ＮＴＳＣビデオ信号出力する装置を一つのハウジングに収納する。
【産業上の利用可能性】
【００１３】
１．人が立ち入れない環境に設置して、リアルタイムで立体視しながらリモートで遠隔作業する。
２．立体的な動画により、より現実的なプレゼンテーションが出来る。
【符号の説明】
【００１４】
１  撮像カメラ（レンズ付）セット
２  カメラ方向調整支点。
３  カメラハウジング
【図１】
2010219911.tif 000003
【図２】
2010219911.tif 000004
【図３】
2010219911.tif 000005
(57)【要約】【課題】ナノ・ダイヤモンドの性質を使って、悪性腫瘍を治療することを要旨とするものである。【解決手段】本発明は、ナノ・ダイヤモンドがマイクロ波に熱反応する性質を使って、悪性腫瘍内にナノ・ダイヤモンドを取り入れさせて後、ナノ・ダイヤモンド自体をマイクロ波で励起し高温にし、悪性腫瘍や悪性腫瘍細胞を耐熱臨界温度以上にして死滅させるか、あるいは焼却することによって、悪性腫瘍の治療をなすことを要旨とするものである。【特許請求の範囲】
【請求項１】
ナノ・ダイヤモンドが、マイクロ波に鋭敏に熱反応する性質を使い、温熱療法によって、悪性腫瘍の治療をする方法である。
【発明の詳細な説明】
【技術分野】
【０００１】  本発明は、ナノ・ダイヤモンドが、マイクロ波に鋭敏に熱反応する性質を使い、温熱療法によって、熱に弱い悪性腫瘍を熱によって死滅させるか、あるいは、焼却、破壊することで、悪性腫瘍の増殖を阻止する、悪性腫瘍の治療方法に関するものである。【０００２】  本発明は、ナノ・ダイヤモンドをＤｒｕｇ  Ｄｅｌｉｖｅｒｙ  Ｓｙｓｔｅｍ・ＤＤＳのキャリアーとして薬を運ぶ役を担わせるのではなく、ナノ・ダイヤモンド自体が、悪性腫瘍周囲の血管と、悪性腫瘍細胞内で、マイクロ波に鋭敏に熱反応する熱媒体として容易に高熱になる性質に着目して、熱に弱い悪性腫瘍を熱によって死滅させるか、あるいは焼却、破壊させる方法である。
【背景技術】
【０００３】  ナノ・ダイヤモンドを、抗癌剤などの薬を運ぶキャリアーとして利用するＤＤＳの場合は、抗がん剤使用での副作用という問題があったが、今回のこの発明は、抗がん剤をナノ・ダイヤモンドに運ばせるのではなく、ナノ・ダイヤモンド自体が、熱や電磁波に鋭敏に反応する性質を利用して、悪性腫瘍をナノ・ダイヤモンド自体で治療する方法であるので、抗がん剤使用時の副作用の心配がなくなった。【０００４】  ナノ・ダイヤモンド粒子群をマイクロ波電子レンジの中にいれて、数分間励起すると、その温度は数千度の高温になるが、この場合、電子レンジの出力と照射時間とナノ・ダイヤモンド粒子の集積度、あるいは分散具合を調整することによって、該当部分に集積されたナノ・ダイヤモンドの温度を瞬時に、あるいは短時間で、調整すことが可能である。【０００５】  一般に悪性腫瘍が癌腫の場合は、急速に分裂する腫瘍に血液を送るために、癌腫瘍内に増生される血管は、健全な血管細胞とは違って、血管外側にサイズ３００ｎｍ程の隙間や穴が多数ある。この癌腫瘍内血管にサイズ２５０ｎｍ位以下のナノ・ダイヤモンドが流れてくる場合、この穴や隙間から、２５０ｎｍ位以下のナノ・ダイヤモンドは、癌腫瘍、あるいは癌細胞部分に漏出する。癌腫瘍のリンパ系も、急速分裂する腫瘍のため、癌腫瘍血管と同じく未熟で、漏出したナノ・ダイヤモンドは、直ぐにはリンパ系に回収されずに局部に長い間とどまる。又、健康な細胞では、その外側に約３ｎｍ程の穴があるが、癌細胞では７ｎｍ程の穴になるので、５ｎｍ程のサイズのナノ・ダイヤモンドを使えば、健康な細胞には取り込ませずに、癌細胞にだけ取り込ませる選択をさせることができる。【０００６】  体の中に入ったナノ・ダイヤモンドが、癌細胞内の血管から癌の腫瘍内部に漏出し、そこに集積されたか、あるいはそれぞれの癌腫瘍の癌細胞内に集積された時点で、人体全体に、適切な強さのマイクロ波を、必要時間照射し、体内の癌部位、あるいは癌細胞に集積された合成ナノ・ダイヤモンド群が４４℃から４５℃になるようにすれば、熱に弱い癌細胞は、その細胞生存の臨界温度を超えた場合には、その温度に耐えられずに、短時間で死滅する。【０００７】  正常細胞は癌細胞とはちがって、細胞の隙間や穴は小さく、そのサイズは３ｎｍ程なので、５ｎｍから２００ｎｍ位のナノ・ダイヤモンドは入れない。又、正常細胞をとりまく血管の自冷却能力は、４６℃程までは、十分に冷却能力を発揮できるので、健全な細胞は、短期間なら４６℃までは耐えられる。正常細胞が耐えられる時間内で、照射温度の上限を４４℃から４５℃にセットして、正常細胞に害が及ばない期間、マイクロ波を照射すれば、自冷却能力の低い血管を持つ癌細胞だけを死滅させることができる。【０００８】  ナノ・ダイヤモンドを血流に乗せて運ばせて、ターゲットの悪性腫瘍に、ナノ・ダイヤモンドが集積された時点で、マイクロ波を全身に照射して治療する場合は、衣服を着たままでの治療も可能であるが、ナノ・ダイヤモンドを癌腫瘍、あるいは、悪性腫瘍患部に直接注入し、患部だけに限って照射する方法も考えられる。この場合は、ＣＴスキャンなどで、患部の位置と形を特定して、特定された患部全体にマイクロ波発信機のアンテナ針を穿刺して、患部を急激に高温化し焼却する。あるいは、患部を三次元的受信地域として焦像させ、焦点を持つマイクロ波を無線で患部へ送って三次元スキャンさせて、外科的処置をせずに、遠隔的に焼却する方法もある。【０００９】  ナノ・ダイヤモンドを使って悪性腫瘍を治療する、マイクロ波治療装置としては、ＣＴスキャンなど、精密装置と連動して働かせる大型なものから、家庭用電子レンジを基盤とした、マイクロ波電子レンジ的な小型のものまで、すでに実用化されている従来の方法を利用して実施できる。【００１０】  悪性腫瘍患部へ照射するマイクロ波の出力と、時間と、患部でのナノ・ダイヤモンドの集積度が、患部照射時の患部温度、あるいは集積された患部のナノ・ダイヤモンドの温度を決めるので、照射時間と患部温度は、健全な細胞に安全な温度範囲で可変操作が出来るようにするか、悪性腫瘍患部のみを短時間高温にして、急速高熱焼却とする。この場合は、健全な周辺細胞が被害を受けないことが必要である。
【発明の開示】
【発明が解決しようとする課題】
【００１１】  本発明の目的は、ナノ・ダイヤモンドを使って、悪性腫瘍を治療する方法を提供することにある。
【課題を解決するための手段】
【００１２】  本発明は前記目的を達成するため、ナノ・ダイヤモンドの持つ、マイクロ波への鋭敏な熱反応を利用することを要旨とするものである。【００１３】  本発明は前記目的を達成するため、人畜無害な、適切なサイズのナノ・ダイヤモンドを、その目的に応じて使用することを要旨とするものである。【００１４】  本発明は、ナノ・ダイヤモンドを、ＤＤＳのキャリアーとして使用するのではなく、ナノ・ダイヤモンド自体のマイクロ波への熱反応を使って、悪性腫瘍を予防、治療することに着目したものである。
【発明の効果】
【００１５】  これまでは、ナノ・ダイヤモンド自体が発熱して、悪性腫瘍を死滅させ、悪性腫瘍を治療するという方法は考えられなかった。しかし、この発明によって、それが果たされ、癌を初めとする悪性腫瘍の治療が、正常な細胞や組織を害することなく、薬剤の副作用も心配することなく、容易に実施することが可能となった。
(57)【要約】【課題】口臭を自然なバラの香りにすると共に、殺菌効果も有するマウススプレー用溶液を提供する。【解決手段】ローズウォーターとローズオイルを主成分とするマウススプレー用溶液。マウススプレー用溶液は、ローズオイルを０．６質量％含有する。【選択図】なし【特許請求の範囲】
【請求項１】
ローズウォーターとローズオイルを主成分とするマウススプレー用溶液。
【請求項２】
請求項１において、ローズオイルを０．６質量％含有することを特徴とする、マウススプレー用溶液。
【発明の詳細な説明】
【技術分野】
【０００１】
本発明は、ローズウォーターとローズオイルを主成分とするマウススプレー用溶液に関するものである。
【背景技術】
【０００２】
近年、口内に噴射して口臭を消すことができる、マウススプレーが人気である。
マウススプレーに用いられる溶液は、口内消臭を目的とした人工香料が含まれているものが一般的である。
【発明の概要】
【発明が解決しようとする課題】
【０００３】
一般的にマウススプレー用溶液に含まれる人工香料は、味覚に悪影響を及ぼす可能性があった。
また、人工香料のみでは、口内のみの消臭に留まり、食道や胃からの臭いを消すことはできなかった。
【０００４】
本発明は、口臭を自然なバラの香りにすると共に、殺菌効果も有するマウススプレー用溶液を提供する。
【課題を解決するための手段】
【０００５】
上記目的を達成するためになされた本願の第１発明は、ローズウォーターとローズオイルを主成分とするマウススプレー用溶液を提供する。
本願の第２発明は、第１発明のマウススプレー用溶液において、ローズオイルを０．６質量％含有することを特徴とする、マウススプレー用溶液を提供する。
【発明の効果】
【０００６】
本発明は、上記した課題を解決するための手段により、次のような効果の少なくとも一つを得ることができる。
＜１＞ローズオイルとローズウォーターからなるマウススプレー用溶液であるため、人体に影響が無く、自然なバラの香りを楽しむことができる。
＜２＞ローズオイルとローズウォーターからなるマウススプレー用溶液であるため、人工組成物と異なり、味覚に悪影響を及ぼすことがない。
＜３＞ローズオイルを含むため、ローズオイルが持っている殺菌・抗菌性により、口内のみでなく食道、胃など、体内から消臭することができる。
＜４＞ローズオイルを含むため、ローズオイルが持っている抗菌性により、長期間品質を保持することができる。
【発明を実施するための形態】
【０００７】
（１）マウススプレー用溶液
本発明に係るマウススプレー用溶液は、ローズオイルとローズウォーターとを含む溶液である。
ローズオイル及びローズウォーターは、水蒸気蒸留法によって製造される。
本発明のマウススプレー用溶液は、ローズオイルを０．６質量％含有する。
以下に、本発明のマウススプレー用溶液の成分を記載する。
【０００８】
【表１】
2010254648.tif 000002
【０００９】
（２）ローズオイル
本発明に係るマウススプレー用溶液は、ローズオイルを含むものである。
以下に、本発明のマウススプレー用溶液に含まれるローズオイルの成分を記載する。
【００１０】
【表２】
2010254648.tif 000003
【００１１】
（３）ローズウォーター
ローズウォーターは、水蒸気蒸留法によって、ローズオイルと共に製造される溶液である。
ローズウォーターにはローズオイルが溶け込んでおり、従来は化粧品や飲み物として使用されている。
【００１２】
（４）ローズオイル、ローズウォーターの製造
ローズオイル及びローズウォーターは、水蒸気蒸留法によって製造する。
一般に化粧品用のローズオイルはベンゼンやエーテル等の有機溶剤を用いた溶剤抽出法により抽出しているが、溶剤抽出法によって製造したローズオイルは食用やマウススプレーには適用できない。
【００１３】
まず、原材料となるバラ（ダマスクローズ：Rosa damascena）の花の部分を収穫する。
バラは、ブルガリアにある「バラの谷（ローズドリナ）」で栽培され、残留農薬が検出されないバラが好適である。
【００１４】
次に、収穫したバラを水に浸漬し、水蒸気蒸留（一次蒸留）をして、一次バラ蒸留水を製造する。
【００１５】
通常のローズウォーターは、ローズオイルを製造するためにバラを水蒸気蒸留し、その際に副産物として残る蒸留水である。このため、通常のローズウォーターには、ローズオイルは０．０２〜０．０５質量％程度しか含有されていない。
【００１６】
本発明のマウススプレー用溶液に使用するローズウォーターはローズオイルを製造するためではなく、ローズウォーターのみを製造するために水蒸気蒸留したバラ蒸留水を使用している。
このため一次蒸留によって、ローズオイルの含有量が０．０８〜０．１２質量％溶け込んだ、ローズオイルの含有量の高いローズウォーターが製造される。
この一次バラ蒸留水の中にはほぼ飽和状態のローズオイルが含まれている。
【００１７】
この一次バラ蒸留水をさらに水蒸気蒸留（二次蒸留）をする。
このようにして、本発明のマウススプレー用溶液に使用される、ローズオイルが０．０８〜０．１２質量％溶け込んだローズウォーターが製造される。
このローズウォーターにローズオイルや蒸留水、メントール、甘味料等を加えて、ローズオイルを０．６質量％含んだマウススプレー用溶液を製造する。
【００１８】
一次バラ蒸留水を再度水蒸気蒸留するのは、不純物の除去率を高めるだけでなく、ローズオイルをローズウォーター全体に、より均一に溶け込ませるためである。
【００１９】
また、本発明のマウススプレー用溶液は、高い抗菌性をもつローズオイルが０．６質量％含まれているため、マウススプレー用溶液が高い抗菌性を有する。
よって、長期間の保存が可能であり、しかも長期間経過しても変質しないため、保管場所が冷暗所等に限られず、保存が容易となる。
【００２０】
（４）マウススプレー用溶液の特性
一般にバラの香りは、昔から現代まで人々が高級なものとして、非常に好んできたものである。
また、バラの香りには、緊張をほぐす効果や、不安抑制作用によってストレスを和らげる効果、体のリズムを整える効果等、様々な効果が知られている。
本発明のマウススプレー用溶液はローズオイル及びローズウォーターを含むため、マウススプレーとして口内に噴射することによって、バラの香りの有する様々な効果を得ることができる。
【００２１】
マウススプレー用溶液に含まれるローズオイル及びローズウォーターは自然のバラを水蒸気蒸留して製造する。
このため、人工香料等の組成物と異なり、口内に噴射しても、味覚に悪影響を及ぼすことがない。
【００２２】
バラには抗菌性があり、ローズオイルも同様に抗菌性を有する。
本発明のマウススプレー用溶液は、ローズオイルを０．６質量％含有するため高い抗菌性を有する。
マウススプレー用溶液は口内に噴射すると、口内から食道を経由して胃に到達する。
本発明のマウススプレー用溶液は高い抗菌性を有するため、口内の消臭の他にも、食道や胃等、体内から消臭することができるため、高い消臭性を有する。
また、ピロリ菌の除去等の健胃作用、腎臓機能の向上等、様々な効果を期待できる。